(57)【要約】【課題】ユーザの嗜好に沿った音声を出力できる車載用受信装置を提供する。【解決手段】ＦＭ多重放送の放送波に含まれる文字情報は、ＦＭ多重放送受信部１１０の選局／文字情報抽出部１１２で抽出されて、受信文字情報として受信文字情報記憶部１２１で記憶される。ユーザが文字情報入力部１３１から入力した入力文字情報は入力文字情報記憶部１３２で記憶される。たとえば、入力文字情報の楽曲名と受信文字情報に含まれる楽曲名とが一致すると文字情報比較部１４１で判断されると、当該楽曲を放送する番組が聴取できるように、制御部１５０は、ＦＭ多重放送受信部１１０の選局／音声信号復調部１１１における選局状態を制御する。また制御部１５０は、スピーカ１０６から出力される音声の音源がＦＭ多重放送受信部１１０に切り替えられるように、音声出力切替部１０４を制御する。【選択図】図１
2008022353.tif 000002
【特許請求の範囲】
【請求項１】
放送局から放送される番組を受信する受信機と、
前記番組とともに搬送される文字情報を抽出する文字情報抽出手段と、
前記番組に関する文字情報をユーザが入力する入力手段と、
前記入力された文字情報と前記抽出された文字情報との関連を判定する判定手段と、
前記判定手段により、前記抽出された文字情報が前記入力された文字情報と関連していると判定されると、前記入力された文字情報に関連する番組が受信されるように前記受信機を制御する制御手段とを備えることを特徴とする車載用受信装置。
【請求項２】
請求項１に記載の車載用受信装置において、
前記放送局からの番組とは別の音源を再生してスピーカから出力する再生装置と、
前記再生装置により前記番組とは別の音源が再生されているとき、前記制御手段により、前記入力された文字情報に関連する番組が受信されるように前記受信機を制御する場合は、前記スピーカから出力される音源を前記受信機に切り替える切替手段とをさらに備えることを特徴とする車載用受信装置。
【請求項３】
請求項２に記載の車載用受信装置において、
前記再生装置で再生された音源をスピーカから出力しているときも、前記文字情報抽出手段は、前記番組とともに搬送されている文字情報を抽出することを特徴とする車載用受信装置。
【請求項４】
請求項１〜３のいずれか一項に記載の車載用受信装置において、
前記受信機は、複数の放送局から放送される番組のうちの任意の１つを受信可能であり、
前記文字情報抽出手段は、前記受信機が前記複数の放送局から放送されるいずれの番組を受信しているかに関わらず、前記複数の放送局から番組とともに搬送される文字情報をそれぞれ抽出し、
前記制御手段は、前記抽出された文字情報が前記入力された文字情報と関連していると前記判定手段で判定されると、前記受信機が前記複数の放送局から放送されるいずれの番組を受信していたかに関わらず、前記入力された文字情報に関連する番組を受信するように前記受信機を制御することを特徴とする車載用受信装置。
【請求項５】
請求項４に記載の車載用受信装置において、
前記文字情報抽出手段は、あらかじめ登録された複数の放送局から番組とともに搬送される文字情報をそれぞれ抽出することを特徴とする車載用受信装置。
【請求項６】
請求項１〜５のいずれか一項に記載の車載用受信装置において、
前記入力手段には、前記番組に関する文字情報を条件式として入力可能であり、
前記判定手段は、前記条件式として入力された文字情報と前記抽出された文字情報との関連を判定することを特徴とする車載用受信装置。
【発明の詳細な説明】
【技術分野】
【０００１】
本発明は、放送局から放送される放送波を受信する車載用受信装置に関する。
【背景技術】
【０００２】
放送局から放送されるＦＭ放送やテレビジョン放送の音声を出力するラジオ受信部を備えた車載用オーディオ装置が知られている。この装置には、ラジオ受信部の他にも記録媒体に記録された音声を再生する記録媒体再生部が設けられており、音源を適宜切り替えて利用可能であるほか、記録媒体を記録媒体再生部から取り出した場合にはラジオ受信部からの音声を出力するように音源を自動的に切り替えることができる。また、記録媒体再生部に記録媒体が挿入されていない場合に記録媒体の再生操作が行われると、自動的にラジオ受信部からの音声を出力するように音源を切り替えることができる装置も知られている（特許文献１参照）。
【０００３】
【特許文献１】特開平７−３２６１２０号公報
【発明の開示】
【発明が解決しようとする課題】
【０００４】
しかし、従来の車載用オーディオ装置では、出力する音源をラジオ受信部からの音声に自動的に切り替えることができても、出力される音声が必ずしもユーザの嗜好と合致するわけではなかった。
【課題を解決するための手段】
【０００５】
（１）  請求項１の発明による車載用受信装置は、放送局から放送される番組を受信する受信機と、番組とともに搬送される文字情報を抽出する文字情報抽出手段と、番組に関する文字情報をユーザが入力する入力手段と、入力された文字情報と抽出された文字情報との関連を判定する判定手段と、判定手段により、抽出された文字情報が入力された文字情報と関連していると判定されると、入力された文字情報に関連する番組が受信されるように受信機を制御する制御手段とを備えることを特徴とする。
（２）  請求項２の発明は、請求項１に記載の車載用受信装置において、放送局からの番組とは別の音源を再生してスピーカから出力する再生装置と、再生装置により番組とは別の音源が再生されているとき、制御手段により、入力された文字情報に関連する番組が受信されるように受信機を制御する場合は、スピーカから出力される音源を受信機に切り替える切替手段とをさらに備えることを特徴とする。
（３）  請求項３の発明は、請求項２に記載の車載用受信装置において、再生装置で再生された音源をスピーカから出力しているときも、文字情報抽出手段は、番組とともに搬送されている文字情報を抽出することを特徴とする。
（４）  請求項４の発明は、請求項１〜３のいずれか一項に記載の車載用受信装置において、受信機は、複数の放送局から放送される番組のうちの任意の１つを受信可能であり、文字情報抽出手段は、受信機が複数の放送局から放送されるいずれの番組を受信しているかに関わらず、複数の放送局から番組とともに搬送される文字情報をそれぞれ抽出し、制御手段は、抽出された文字情報が入力された文字情報と関連していると判定手段で判定されると、受信機が複数の放送局から放送されるいずれの番組を受信していたかに関わらず、入力された文字情報に関連する番組を受信するように受信機を制御することを特徴とする。
（５）  請求項５の発明は、請求項４に記載の車載用受信装置において、文字情報抽出手段は、あらかじめ登録された複数の放送局から番組とともに搬送される文字情報をそれぞれ抽出することを特徴とする。
（６）  請求項６の発明は、請求項１〜５のいずれか一項に記載の車載用受信装置において、入力手段には、番組に関する文字情報を条件式として入力可能であり、判定手段は、条件式として入力された文字情報と抽出された文字情報との関連を判定することを特徴とする。
【発明の効果】
【０００６】
本発明によれば、ユーザの嗜好に沿った音声を出力できる。
【発明を実施するための最良の形態】
【０００７】
図１〜３を参照して、本発明による車載用受信装置を車載音響装置に適用した一実施の形態を説明する。本実施の形態の車載音響装置は、後述するように、ＦＭ多重放送の放送波に含まれる文字情報と、ユーザが入力した文字情報とが関連していると判定されると、入力した文字情報に関連する番組を受信して、その番組の音声を出力するように構成されている。
【０００８】
図１は、本発明を適用した車載音響装置の全体構成を示す図である。車載音響装置１００は、不図示の車両に搭載されて音声をユーザに聴取させるための装置であり、ＦＭ多重放送受信部１１０と、第１記録媒体再生部１０２と、第２記録媒体再生部１０３と、音声出力切替部１０４と、オーディオ再生部１０５とを備えている。また、車載音響装置１００は、受信文字情報記憶部１２１と、文字情報入力部１３１と、入力文字情報記憶部１３２と、文字情報比較部１４１と、制御部１５０と、機能スイッチ１５１と、操作スイッチ１５２とを備えている。
【０００９】
ＦＭ多重放送受信部１１０には、ＦＭ多重放送の放送波を受信するためのアンテナ１０１が接続されている。アンテナ１０１は車室外などの放送波を受信しやすい位置に配設されている。なお、放送局から送出されるＦＭ多重放送の放送波には、アナログ音声情報と、デジタル信号化された文字などの情報（以下、単に文字情報と呼ぶ）とが含まれている。文字情報には、放送中の番組のタイトル名、楽曲の曲名やアーティスト名などが含まれている。
【００１０】
ＦＭ多重放送受信部１１０には、放送波に含まれるアナログ音声情報を音声信号に復調するための選局／音声信号復調部１１１と、文字情報を抽出する選局／文字情報抽出部１１２と、文字情報を受信するための放送波の周波数を複数記憶するプリセット記憶部１１３とが設けられている。すなわち、ＦＭ多重放送受信部１１０は、アンテナ１０１で受信した放送波から音声信号を復調するとともに、放送波に含まれる文字情報をデコードして抽出する。このように抽出された文字情報を、受信文字情報と呼ぶ。
【００１１】
第１記録媒体再生部１０２および第２記録媒体再生部１０３は、コンパクトディスクやミニディスクなどの記録媒体に記録された音声信号を再生して出力する。第１記録媒体再生部１０２と第２記録媒体再生部１０３とでは、音声信号を再生できる記録媒体の種類が異なる。たとえば、第１記録媒体再生部１０２ではコンパクトディスクに記録された音声信号を再生し、第２記録媒体再生部１０３ではミニディスクに記録された音声信号を再生する。
【００１２】
音声出力切替部１０４は、車室内に適宜配設されたスピーカ１０６から出力される音声の音源を切り替える切替部であり、ＦＭ多重放送受信部１１０、第１記録媒体再生部１０２および第２記録媒体再生部１０３からの音声信号のうち、いずれかの音声信号のみを選択してオーディオ再生部１０５に出力する。オーディオ再生部１０５は、音声出力切替部１０４で選択された音声信号に基づいて、スピーカ１０６から出力される音声の音量や音質を調節する。
【００１３】
受信文字情報記憶部１２１は、ＦＭ多重放送受信部１１０の選局／文字情報抽出部１１２で抽出された受信文字情報を一時的に記憶する。文字情報入力部１３１は、ユーザが任意の文字情報を入力するための入力部であり、入力された文字情報（以下、入力文字情報と呼ぶ）を入力文字情報記憶部１３２に出力する。入力文字情報記憶部１３２は、入力文字情報を記憶する。
【００１４】
文字情報比較部１４１は、受信文字情報記憶部１２１で記憶した受信文字情報と、入力文字情報記憶部１３２で記憶した入力文字情報との関連の有無を判断して、その判断結果を制御部１５０に出力する。制御部１５０は、文字情報比較部１４１における判断結果に基づいてＦＭ多重放送受信部１１０と音声出力切替部１０４とを後述するように制御する。機能スイッチ１５１は、後述する文字情報に基づく音源切替機能をオンオフするスイッチである。操作スイッチ１５２は、スピーカ１０６から出力する音声の音源切り替えや、ボリューム操作、ＦＭ多重放送受信部１１０（ラジオ）の選局操作など、車載音響装置１００の操作を行うためのスイッチ群である。
【００１５】
このように構成される車載音響装置１００では、車両のイグニッションスイッチがオンされて車載音響装置１００の電源が入ると、操作スイッチ１５２による音源切替操作に応じた音源からの音声がスピーカ１０６から出力される。たとえば、操作スイッチ１５２の音源切替操作によってラジオ放送の聴取が選択されると、制御部１５０は、ＦＭ多重放送受信部１１０から出力される音声信号をオーディオ再生部１０５に出力するように音声出力切替部１０４およびＦＭ多重放送受信部１１０を制御する。操作スイッチ１５２の音源切替操作によってコンパクトディスクの再生が選択されると、制御部１５０は、第１記録媒体再生部１０２から出力される音声信号をオーディオ再生部１０５に出力するように音声出力切替部１０４および第１記録媒体再生部１０２を制御する。
【００１６】
同様に、操作スイッチ１５２の音源切替操作によってミニディスクの再生が選択されると、制御部１５０は、第２記録媒体再生部１０３から出力される音声信号をオーディオ再生部１０５に出力するように音声出力切替部１０４および第２記録媒体再生部１０３を制御する。また、音声出力切替部１０４によって選択された音源がいずれかの記録媒体再生部１０２，１０３に挿入された記録媒体である場合に、選択された音源の記録媒体を取り出す操作が行われると、制御部１５０は、オーディオ再生部１０５に出力する音声信号の音源をＦＭ多重放送受信部１１０で受信した番組に切り替えるように音声出力切替部１０４およびＦＭ多重放送受信部１１０を制御する。
【００１７】
また、車載音響装置１００では、ＦＭ多重放送の放送波から抽出した受信文字情報に基づいて、スピーカ１０６から出力される音声の音源切替が可能である。たとえば、あらかじめユーザが文字情報入力部１３１から入力した入力文字情報にある楽曲名が含まれている場合、その楽曲名と受信文字情報に含まれる楽曲名とが一致すると、当該楽曲が聴取できるように、スピーカ１０６から出力される音声の音源が自動的にＦＭ多重放送受信部１１０で受信した番組に切り替えられる。以下、文字情報に基づく音源切替について詳述する。
【００１８】
車両のイグニッションスイッチがオンされて車載音響装置１００の電源が入ると、どの音源が選択されているかに関わらず、ＦＭ多重放送受信部１１０の選局／文字情報抽出部１１２は、プリセット記憶部１１３に記憶された放送局から１局を選択して、その放送局から放送される放送波から文字情報を抽出する。そして、選局／文字情報抽出部１１２は、放送局を識別する識別子（放送局識別子）とともに、抽出した文字情報（受信文字情報）を受信文字情報記憶部１２１に出力する。
【００１９】
選局／文字情報抽出部１１２による文字情報の抽出と、受信文字情報記憶部１２１への出力は、プリセット記憶部１１３に記憶された放送局のすべてについて順次かつ繰り返し実施される。プリセット記憶部１１３に記憶された放送局は、たとえば操作スイッチ１５２に含まれる選局操作スイッチや登録設定スイッチなどをユーザが操作することによって適宜変更可能である。
【００２０】
なお、選局／文字情報抽出部１１２による文字情報の抽出と、受信文字情報記憶部１２１への出力は、選局／音声信号復調部１１１における選局状況とは関係なく独立して行われる。すなわち、ＦＭ多重放送受信部１１０では、選局／音声信号復調部１１１における音声信号の復調と、選局／文字情報抽出部１１２における文字情報の抽出とを独立して同時に実施できる。
【００２１】
受信文字情報記憶部１２１では、選局／文字情報抽出部１１２から出力される受信文字情報を、放送局識別子に基づいて放送局ごとに記憶する。同一放送局について新たな受信文字情報が文字情報抽出部１１２から出力されると、受信文字情報記憶部１２１は、すでに記憶している受信文字情報を新たな受信文字情報で上書きして更新する。
【００２２】
ユーザは、任意の文字情報を文字情報入力部１３１から入力する。ユーザが入力する文字情報としては、たとえば、好みのアーティストのアーティスト名や、楽曲名、好みの番組名などが挙げられる。文字情報は複数入力可能である。また、文字情報入力部１３１には、文字情報を条件式としても入力可能である。すなわち、後述するように文字情報比較部１４１における、受信文字情報と入力文字情報との関連性を判断する際の判断条件も文字情報入力部１３１から入力可能である。
【００２３】
入力文字情報記憶部１３２は、文字情報入力部１３１から入力された文字、判断条件などの入力文字情報を記憶する。文字情報比較部１４１は、受信文字情報記憶部１２１で順次更新される受信文字情報が、入力文字情報記憶部１３２で記憶された入力文字情報と関連があるか否か、すなわち、受信文字情報が、入力文字情報記憶部１３２で記憶された入力文字情報に合致（一致）するか否かを判断する。
【００２４】
たとえば、入力文字情報として、アーティスト名と、楽曲名とが結合条件式「ａｎｄ」とともに入力されていた場合、文字情報比較部１４１は、受信文字情報記憶部１２１に記憶された受信文字情報の中に、入力文字情報中のアーティスト名と楽曲名の双方を含む受信文字情報があれば、受信文字情報が入力文字情報と一致する（関連する）と判断する。入力文字情報として、アーティスト名と、楽曲名とが結合条件式「ｏｒ」とともに入力されていた場合、文字情報比較部１４１は、受信文字情報記憶部１２１に記憶された受信文字情報の中に、入力文字情報中のアーティスト名か楽曲名のいずれかを含む受信文字情報があれば、受信文字情報が入力文字情報と関連すると判断する。
【００２５】
文字情報比較部１４１は、受信文字情報が入力文字情報と関連すると判断すると、当該受信文字情報を送信する放送局の放送局識別子を受信文字情報記憶部１２１から読み込み、この放送局識別子を含む信号（以下、放送局識別信号と呼ぶ）を制御部１５０へ出力する。制御部１５０は、文字情報比較部１４１から放送局識別信号を受信すると、放送局識別信号をＦＭ多重放送受信部１１０へ出力するとともに、ＦＭ多重放送受信部１１０から出力される音声信号をオーディオ再生部１０５に出力するように音声出力切替部１０４へ制御信号（ラジオ選択信号）を出力する。なお、制御部１５０は、機能スイッチ１５１がオンされているときに限り、放送局識別信号およびラジオ選択信号をそれぞれ出力する。
【００２６】
ＦＭ多重放送受信部１１０は、制御部１５０からの放送局識別信号を受信すると、放送局識別信号に含まれる放送局識別子から放送局を特定し、その放送局からの放送波を受信するように、選局／音声信号復調部１１１における選局状態を制御する。すなわち、ＦＭ多重放送受信部１１０は、文字情報比較部１４１で入力文字情報と関連すると判断された文字情報を含む放送波から音声信号を復調して音声出力切替部１０４へ出力する。
【００２７】
音声出力切替部１０４は、ラジオ選択信号を受信すると、オーディオ再生部１０５に出力する音声信号の音源をＦＭ多重放送受信部１１０で受信した番組に切り替える。その結果、ＦＭ多重放送受信部１１０の選局／音声信号復調部１１１で選局されて復調された番組の音声信号が、音声出力切替部１０４を介してオーディオ再生部１０５に出力されて、スピーカ１０６から音声として出力される。
【００２８】
たとえば、放送局「Ｘ」からアーティスト「甲」の楽曲「Ａ」が放送される場合、放送局Ｘから送信される放送波には、番組名などの文字情報の他、楽曲「Ａ」の音声信号と、アーティスト名「甲」および楽曲名「Ａ」の文字情報が含まれる。車載音響装置１００では、プリセット記憶部１１３で記憶している放送局の中に放送局Ｘが含まれていると、選局／文字情報抽出部１１２が、放送局Ｘから送信される放送波から「甲」と「Ａ」とを受信文字情報として抽出して、放送局Ｘについての放送局識別子とともに受信文字情報記憶部１２１に出力する。受信文字情報記憶部１２１では、選局／文字情報抽出部１１２から出力された受信文字情報「甲」、「Ａ」を放送局Ｘについての受信文字情報として記憶する。
【００２９】
文字情報比較部１４１は、受信文字情報記憶部１２１で記憶している受信文字情報「甲」、「Ａ」と、受信文字情報記憶部１２１に記憶されている入力文字情報とを比較する。ここで、たとえば入力文字情報として、アーティスト名「甲」と、楽曲名「Ａ」とが結合条件式「ａｎｄ」とともに受信文字情報記憶部１２１に入力されていた場合、文字情報比較部１４１は、受信文字情報と入力文字情報とが関連すると判断する。そして、文字情報比較部１４１は、放送局Ｘについての放送局識別子を含んだ放送局識別信号を制御部１５０へ出力する。
【００３０】
制御部１５０は、機能スイッチ１５１がオンされているときに文字情報比較部１４１から放送局識別信号を受信すると、放送局識別信号をＦＭ多重放送受信部１１０へ出力する。ＦＭ多重放送受信部１１０は、制御部１５０から放送局識別信号を受信すると、選局／音声信号復調部１１１で選局している放送局が放送局Ｘとは異なる放送局（たとえばＹ）であったとしても、放送局Ｘを選局するように選局／音声信号復調部１１１を制御する。その結果、ＦＭ多重放送受信部１１０は、放送局Ｘで放送している番組の音声信号を復調して音声出力切替部１０４へ出力する。
【００３１】
また、制御部１５０は、機能スイッチ１５１がオンされているときに文字情報比較部１４１から放送局識別信号を受信すると、ＦＭ多重放送受信部１１０から出力される音声信号をオーディオ再生部１０５に出力するように音声出力切替部１０４へラジオ選択信号を出力する。音声出力切替部１０４は、ラジオ選択信号を受信すると、それまでに選択されていた音源が何であるかに関わらず、オーディオ再生部１０５に出力する音声信号の音源をＦＭ多重放送受信部１１０で受信した番組に切り替える。これにより、放送局Ｘから放送されるアーティスト甲の楽曲Ａの音声が、スピーカ１０６から出力される。
【００３２】
このように、本実施の形態の車載音響装置１００では、機能スイッチ１５１がオンされている場合には、あらかじめユーザが入力した文字情報と関連する文字情報が番組の音声とともに送信されると、それまで聴取していた音声の音源の種類や番組の放送局に関わらず、音源をＦＭ多重放送受信部１１０で受信した番組に切り替え、当該番組の音声をスピーカ１０６から出力する。
【００３３】
たとえば、ユーザが、好みのアーティストの新譜を聴取したことがなかった場合、そのアーティスト名と新譜の楽曲名とを結合条件式「ａｎｄ」とともに文字情報入力部１３１から入力しておけばよい。車載音響装置１００では、プリセット記憶部１１３で記憶している放送局のいずれかでその新譜が放送されると、上述のように、その放送局が放送する番組の音声をスピーカ１０６から出力する。したがって、ユーザは、放送局の番組表をあらかじめ確認するなどの準備をしていなくても、好みのアーティストの新譜を聴取することできる。
【００３４】
また、ユーザが、好みのアーティストの楽曲のうち、一度も聴取したことがない楽曲のみの聴取を希望する場合、好みのアーティスト名を含むがすでに聴取したことのある楽曲名を除外するように入力文字情報を設定すればよい。この場合、車載音響装置１００では、プリセット記憶部１１３で記憶している放送局のいずれかで、そのアーティストの楽曲のうち、ユーザがすでに聴取したことがある楽曲以外の楽曲が放送されると、上述のように、その放送局が放送する番組の音声をスピーカ１０６から出力する。したがって、ユーザは、好みのアーティストの楽曲のうち、一度も聴取したことのない楽曲を放送される番組から聴取することできる。
【００３５】
ニュース番組、天気予報番組、好みの番組などの聴取をユーザが希望する場合、これらの番組名を入力文字情報として設定すればよい。これらの番組の放送が開始されると、上述のように、自動的にこれらの番組の音声がスピーカ１０６から出力されることとなる。したがって、ユーザは、好みの番組を聞き逃すことがなくなる。
【００３６】
−−−フローチャート−−−
図２は、制御部１５０における放送局選局および音源切り替えを制御するプログラムの動作を示すフローチャートである。車載音響装置１００が搭載された車両のイグニッションスイッチがオンされて車載音響装置１００の電源が入ると、図２に示す処理を行うプログラムが起動され、制御部１５０で実行される。ステップＳ１１において、操作スイッチ１５２による音源切替操作が行われたか否かを判断する。ステップＳ１１が肯定判断されるとステップＳ１３へ進み、操作スイッチ１５２による音源切替操作の内容に応じた音源の音声信号をオーディオ再生部１０５に出力するように音声出力切替部１０４および各部１１０，１０２，１０３へ制御信号を出力する。
【００３７】
ステップＳ１１が否定判断されるか、ステップＳ１３が実行されるとステップＳ１５へ進み、機能スイッチ１５１がオンされているか否かを判断する。ステップＳ１５が肯定判断されるとステップＳ１７へ進み、文字情報比較部１４１から放送局識別信号を受信したか否かを判断する。
【００３８】
ステップＳ１７が肯定判断されるとステップＳ１９へ進み、放送局識別信号をＦＭ多重放送受信部１１０へ出力してステップＳ２１へ進む。ステップＳ２１において、ＦＭ多重放送受信部１１０から出力される音声信号をオーディオ再生部１０５に出力するように音声出力切替部１０４へラジオ選択信号を出力してリターンする。ステップＳ１５またはステップＳ１７が否定判断されるとリターンする。
【００３９】
図３は、文字情報比較部１４１における、受信文字情報と入力文字情報とを比較する制御プログラムの動作を示すフローチャートである。車載音響装置１００が搭載された車両のイグニッションスイッチがオンされて車載音響装置１００の電源が入ると、図３に示す処理を行うプログラムが起動され、文字情報比較部１４１で実行される。ステップＳ４１において、入力文字情報記憶部１３２で記憶した入力文字情報を読み出してステップＳ４３へ進む。ステップＳ４３において、受信文字情報記憶部１２１で記憶した受信文字情報と放送局識別子とを読み出してステップＳ４５へ進む。
【００４０】
ステップＳ４５において、ステップＳ４１で読み出した入力文字情報と、ステップＳ４３で読み出した受信文字情報とが関連するか否かを判断する。ステップＳ４５が肯定判断されるとステップＳ４７へ進み、ステップＳ４３で読み込んだ放送局識別子を含む放送局識別信号を制御部１５０へ出力する。ステップＳ４７が実行されるか、ステップＳ４５が否定判断されるとリターンする。
【００４１】
本実施の形態の車載音響装置１００では、次の作用効果を奏する。
（１）  放送波から抽出した受信文字情報と、ユーザがあらかじめ入力した入力文字情報との関連性を判断し、関連すると判断されると当該受信文字情報を送信する放送局の番組を聴取できるように構成した。したがって、ユーザが自分の嗜好に合うように入力文字情報を設定することで、ユーザの嗜好に合致した番組の聴取が可能となる。
【００４２】
（２）  ＦＭ多重放送受信部１１０の他に第１記録媒体再生部１０２および第２記録媒体再生部１０３を備え、受信文字情報と入力文字情報とが関連すると判断されると、それまでに聴取していた音声の音源の種類に関わらず、当該受信文字情報を送信する放送局の番組を聴取できるように構成した。また、受信文字情報と入力文字情報とが関連すると判断されると、それまでに聴取していた番組の放送局とは異なる放送局の番組であっても、当該受信文字情報を送信する放送局の番組を聴取できるように構成した。これにより、ユーザは、他の音源や他の放送局の番組に優先して、ユーザの嗜好に合致した番組の聴取が可能となる。
【００４３】
（３）  選局／文字情報抽出部１１２による文字情報の抽出と、受信文字情報記憶部１２１への出力は、プリセット記憶部１１３に記憶された放送局のすべてについて順次かつ繰り返し実施されるように構成した。これにより、複数の放送局から放送される番組について受信文字情報と入力文字情報との間の関連性を判断できるので、ユーザの嗜好に合致した番組の音声を出力する機会を増やすことができ、利便性が高い。
【００４４】
（４）  ＦＭ多重放送受信部１１０に、放送波から音声信号を復調するための選局／音声信号復調部１１１と、文字情報を抽出する選局／文字情報抽出部１１２とを備えるように構成した。また、音声出力切替部１０４で選択されている音源がいずれであるかに関わらず、選局／文字情報抽出部１１２による文字情報の抽出、受信文字情報記憶部１２１への出力、および、文字情報比較部１４１における受信文字情報と入力文字情報との関連性の判断を行うように構成した。これにより、ユーザが聴取する音源の種類や番組の放送局に関わらず、バックグランドで、複数の放送局から送信される文字情報に基づいて、ユーザの嗜好に合致した番組を探すことができる。したがって、ユーザは、従来の車載音響装置と同様に放送される番組の音声やコンパクトディスクやミニディスクに記録された音声を聴取しながら、好みの番組が放送されるのを待つことができる。
【００４５】
（５）  任意の文字情報を条件式とともに文字情報入力部１３１から入力可能に構成したので、文字情報比較部１４１における受信文字情報と入力文字情報との関連性の判断に際して、ユーザの嗜好を的確に反映できる。これにより、上述した文字情報に基づく選局および音源切り替えが行われた際のユーザの満足度を向上できる。
【００４６】
（６）  機能スイッチ１５１がオンされたときにのみ、上述した文字情報に基づく選局および音源切り替えを行うように構成した。これにより、ユーザが上述した文字情報に基づく選局および音源切り替えを希望しない場合には、機能スイッチ１５１をオフすることで、ユーザが意図しない選局および音源切り替えを防止できるので、ユーザの嗜好により合致した車載音響装置１００を提供できる。
【００４７】
−−−変形例−−−
（１）  上述の説明では、上述した文字情報に基づく選局および音源切り替えを行った後に、ユーザが希望した楽曲の放送や番組が終了した際の選局および音源切り替えについては特に言及していないが、引き続き当該放送局から放送される番組の音声を出力するように構成してもよい。
【００４８】
また、ユーザが希望した楽曲の放送や番組が終了した後に、上述した文字情報に基づく選局および音源切り替えを行う前の選局状態、または音源となるように、再び選局および音源切り替えを行うように構成してもよい。この場合には、文字情報比較部１４１、制御部１５０およびＦＭ多重放送受信部１１０を次のように構成すればよい。
【００４９】
文字情報比較部１４１は、ある放送局に関して、当初入力文字情報と関連すると判断された受信文字情報が入力文字情報と関連しなくなったと判断すると、制御信号（リセット信号）を制御部１５０へ出力する。制御部１５０は、文字情報比較部１４１からリセット信号を受信すると、以前の選局状態に戻すことを指示する制御信号（選局リセット信号）をＦＭ多重放送受信部１１０へ出力するとともに、以前の音源選択状態に戻すことを指示する制御信号（音源リセット信号）を音声出力切替部１０４へ出力する。
【００５０】
ＦＭ多重放送受信部１１０は、制御部１５０からの選局リセット信号を受信すると、放送局識別信号を受信する前の選局状態となるように、選局／音声信号復調部１１１における選局状態を制御する。音声出力切替部１０４は、音源リセット信号を受信すると、オーディオ再生部１０５に出力する音声信号の音源を、ラジオ選択信号を受信する前の音源に切り替える。
【００５１】
（２）  上述の説明では、文字情報比較部１４１における比較対象である入力文字情報は、ユーザが文字情報入力部１３１から入力しているが、本発明はこれに限定されない。たとえば、第２記録媒体再生部１０３に挿入されたミニディスクから、ミニディスクに記録されているアーティスト名や楽曲名の情報を文字情報として抽出し、ユーザが文字情報入力部１３１から入力した文字情報とともに入力文字情報として設定されるようにしてもよい。
【００５２】
たとえば、第２記録媒体再生部１０３に挿入されたミニディスクからアーティスト名や楽曲名の情報を文字情報として抽出して記憶する抽出記憶部を設ける。また、文字情報入力部１３１については、抽出記憶部で記憶されたミニディスクに関する文字情報を含めた条件式を入力可能とする。文字情報比較部１４１は、入力文字情報記憶部１３２で記憶された入力文字情報および抽出記憶部で記憶されたミニディスクに関する文字情報に基づいて、受信文字情報との関連性を判断するように構成する。
【００５３】
このよう構成した車載音響装置１００では、たとえば、ユーザが、好みのアーティストの楽曲のうち、ミニディスクに収録されていない楽曲の聴取を希望する場合、好みのアーティスト名を含むがミニディスクに収録されている楽曲名を除外するように入力文字情報を設定すればよい。この場合、車載音響装置１００では、プリセット記憶部１１３で記憶している放送局のいれかでそのアーティストの楽曲のうち、ミニディスクに収録されている楽曲以外の楽曲が放送されると、上述のように、その放送局が放送する番組の音声をスピーカ１０６から出力する。したがって、ユーザは、好みのアーティストの楽曲のうち、ミニディスクに収録されていない楽曲を放送される番組から聴取することできる。
【００５４】
（３）  上述の説明では特に言及していないが、選局／文字情報抽出部１１２が抽出した受信文字情報を表示する表示部を設けて、受信文字情報を表示するように構成してもよい。
【００５５】
（４）  上述の説明では、ＦＭ多重放送受信部１１０以外に、再生装置として第１記録媒体再生部１０２および第２記録媒体再生部１０３が設けられているが、本発明はこれに限定されない。たとえば、第１記録媒体再生部１０２および第２記録媒体再生部１０３はいずれか一方だけ設けられていてもよい。また、他の再生装置として、車載音響装置１００に据え付けられた、または、着脱可能なハードディスクに記録された音声を再生する装置や、着脱可能な不揮発メモリに記録された音声を再生する装置などを備える、または、接続可能となるように構成してもよい。これらのいわゆるデジタルオーディオ機器を利用可能に構成した場合、上述したように、音声とともに記録されているアーティスト名や楽曲名のデータを文字情報として抽出して記憶する抽出記憶部を設け、文字情報比較部１４１における比較対象である入力文字情報として利用できるようにしてもよい。
【００５６】
（５）  上述の説明では、ＦＭ多重放送受信部１１０でＦＭ多重放送を受信するように構成しているが、本発明はこれに限定されない。たとえば、地上デジタル放送の受信装置に本発明を適用し、地上デジタル放送の放送波に含まれる文字情報を抽出して、入力文字情報記憶部１３２で記憶された入力文字情報に合致するか否かを判断することで、上述のように、音源切り替えを行うように構成してもよい。
【００５７】
（６）  上述の説明では、選局／文字情報抽出部１１２による文字情報の抽出と、受信文字情報記憶部１２１への出力は、プリセット記憶部１１３に記憶されたすべての放送局からの放送波について順次かつ繰り返し実施されるように構成したが、本発明はこれに限定されない。たとえば、受信可能なすべての放送局からの放送波について、文字情報の抽出と、受信文字情報記憶部１２１への出力とを行うように構成してもよい。
（７）  上述した各実施の形態および変形例は、それぞれ組み合わせてもよい。
【００５８】
以上の実施の形態およびその変形例において、たとえば、受信機は選局／音声信号復調部１１１に、文字情報抽出手段は選局／文字情報抽出部１１２に、入力手段は文字情報入力部１３１に、判定手段は文字情報比較部１４１に、制御手段は制御部１５０にそれぞれ対応する。再生装置は第１記録媒体再生部１０２および第２記録媒体再生部１０３に、切替手段は音声出力切替部１０４にそれぞれ対応する。なお、以上の説明はあくまで一例であり、発明を解釈する際、上記の実施形態の記載事項と特許請求の範囲の記載事項の対応関係になんら限定も拘束もされない。
【図面の簡単な説明】
【００５９】
【図１】本発明を適用した車載音響装置１００の全体構成を示す図である。
【図２】制御部１５０における放送局選局および音源切り替えを制御するプログラムの動作を示すフローチャートである。
【図３】文字情報比較部１４１における、受信文字情報と入力文字情報とを比較する制御プログラムの動作を示すフローチャートである。
【符号の説明】
【００６０】
１００  車載音響装置                      １０２  第１記録媒体再生部
１０３  第２記録媒体再生部                １０４  音声出力切替部
１０５  オーディオ再生部                  １１０  ＦＭ多重放送受信部
１１１  選局／音声信号復調部              １１２  選局／文字情報抽出部
１１３  プリセット記憶部                  １２１  受信文字情報記憶部
１３１  文字情報入力部                    １３２  入力文字情報記憶部
１４１  文字情報比較部                    １５０  制御部  
【図１】
2008022353.tif 000003
【図２】
2008022353.tif 000004
【図３】
2008022353.tif 000005